(57)【要約】【課題】本発明の目的は、結構が簡単である固定ラックを提供することにある。【解決手段】本発明に係る固定ラックは、中空の枠と、前記枠の内部に装着されているブラケットと、を備え、前記ブラケットは、固定板と、前記固定板の長手方向の側辺から前記固定板から離れる方向へ湾曲して延伸しているガイド部と、を備え、前記ガイド部は、前記固定板に連接している連接板及び前記連接板から前記連接板の外側へ湾曲して延伸しているガイド板を備え、前記連接板及び前記ガイド板の夾角は９０度或いは鈍角を呈する。【選択図】図２
2011109089.tif 000002
【特許請求の範囲】
【請求項１】
中空の枠と、前記枠の内部に装着されているブラケットと、を備える固定ラックにおいて、
前記ブラケットは、固定板と、前記固定板の長手方向の側辺から前記固定板から離れる方向へ湾曲して延伸しているガイド部と、を備え、
前記ガイド部は、前記固定板に連接している連接板及び前記連接板から前記連接板の外側へ湾曲して延伸しているガイド板を備え、
前記連接板及び前記ガイド板の夾角は９０度或いは鈍角を呈することを特徴とする固定ラック。
【請求項２】
前記連接板は、前記ガイド板に直交し、且つ前記連接板と前記ガイド板との連接部分は、円弧形を呈することを特徴とする請求項１に記載の固定ラック。
【請求項３】
前記連接板と前記ガイド板との連接部分は、円弧形を呈することを特徴とする請求項１に記載の固定ラック。
【請求項４】
前記連接板は、前記固定板に直交することを特徴とする請求項１に記載の固定ラック。
【請求項５】
前記ブラケットは、前記固定板の長手方向の他の側辺から延伸する湾曲板をさらに備え、前記湾曲板の幅は、前記連接板の幅より小さいことを特徴とする、請求項１に記載の固定ラック。
【発明の詳細な説明】
【技術分野】
【０００１】
本発明は、固定ラックに関するものである。
【背景技術】
【０００２】
従来の技術において、サーバーのような電子デバイスは、一般的にモジュールの形式で標準的なケースに配置され、且つこれらのケースは、重畳状態で固定ラック内に配置される。従来の固定ラックには、一般的に別のレール装置が設置され、電子デバイスは、前記レール装置に沿って前記固定ラックに挿し込まれて固定される。しかし、前記固定ラックでは、レール装置を設置する必要があるので、結構が複雑である。
【発明の概要】
【発明が解決しようとする課題】
【０００３】
前記課題を解決するために、本発明は、結構が簡単である固定ラックを提供することである。
【課題を解決するための手段】
【０００４】
本発明に係る固定ラックは、中空の枠と、前記枠の内部に装着されているブラケットと、を備え、前記ブラケットが、固定板と、前記固定板の長手方向の側辺から前記固定板から離れる方向へ湾曲して延伸しているガイド部と、を備え、前記ガイド部が、前記固定板に連接している連接板及び前記連接板から前記連接板の外側へ湾曲して延伸しているガイド板を備え、前記連接板及び前記ガイド板の夾角が９０度或いは鈍角を呈することを特徴とする。
【発明の効果】
【０００５】
従来の技術と比べると、本発明の固定ラックのブラケットは、ガイド部が形成され、ガイド部を介して電子デバイスの端角部をガイドすることによって、レール装置を設置する必要がないので、結構が簡単である。
【図面の簡単な説明】
【０００６】
【図１】本発明の第一実施例に係る固定ラック及び電子デバイスの立体図である。
【図２】図１に示す固定ラックのブラケットの立体図である。
【図３】図２に示すブラケットの平面図である。
【図４】図１に示す電子デバイスを装着する過程を示す図である。
【図５】図１に示す電子デバイスを装着する過程を示す図である。
【図６】本発明の第二実施例に係る固定ラックのブラケット立体図である。
【図７】図６に示すブラケットの平面図である。
【図８】本発明の第三実施例に係る固定ラックのブラケット立体図である。
【図９】図８に示すブラケットの平面図である。
【発明を実施するための形態】
【０００７】
以下、図面を参照して、本発明の実施例について説明する。
【０００８】
図１を参照すると、本発明の第一実施例に係る固定ラック２０は、中空立方体状の枠２１、前記枠２１の内部に縦に設置されている２つの第一ブラケット１０及び２つの第二ブラケット４０を備える。前記第一ブラケット１０及び前記第二ブラケット４０の両端は、前記枠２１の頂部及び底部の梁２２に固定され、且つ前記２つの第一ブラケット１０は、互いに対称に設置され、前記２つの第二ブラケット４０は、互いに対称に設置される。前記第一ブラケット１０及び前記第二ブラケット４０は、互いに配合して電子デバイス３０を固定する。前記枠２１に装着される電子デバイス３０のサイズ及び位置の改変に応じて、前記第一ブラケット１０及び前記第二ブラケット４０の前記枠２１の頂部及び底部の梁にロックされる位置を改変することができる。前記第二ブラケット４０は、一般的な業界標準のＥＬＡ−３１０−Ｄに適合するブラケットである。
【０００９】
図２及び図３を参照すると、前記第一ブラケット１０は、条状を呈し、且つ矩形の固定板１１と、前記固定板１１の長手方向の１つの側辺から前記固定板から離れる方向へ湾曲して延伸するガイド部１３及び前記固定板１１の長手方向の他の側辺から垂直方向に延伸する湾曲板１７と、を備える。前記ガイド部１３は、前記固定板１１に垂直方向に連接している連接板１２及び前記連接板１２から前記湾曲板１７から離れる方向へ湾曲して延伸するガイド板１４を備える。前記連接板１２と前記湾曲板１７とは、前記固定板１１の同じ側に位置している。前記湾曲板１７の幅は、前記連接板１２の幅より小さい。前記ガイド板１４及び前記連接板１２の夾角は、鈍角であり、１１５度であることが好ましい。
【００１０】
他の実施例において、前記固定板１１の長手方向の他の側辺には、湾曲板１７を形成しないことも可能である。前記連接板１２と前記固定板１１との夾角は、鈍角とすることもできる。
【００１１】
図４及び図５を参照すると、前記電子デバイス３０の前記第一ブラケット１０に近い２つの端角部は、前記第一ブラケット１０のガイド部１３のガイドによって前記ガイド部１３の自由端に順調にスライドされる。前記電子デバイス３０の前記第二ブラケット４０に近い２つの端角部は、前記第二ブラケット４０に固定される。従って、前記電子デバイス３０は前記枠２１に固定される。
【００１２】
図６及び図７は、本発明の第二実施例に係る固定ラック２０の第一ブラケット１０ａの構造を示す図である。前記第一ブラケット１０ａのガイド部１３ａの連接板１２ａとガイド板１４ａとの間の連接部分は、湾曲して面取り処理が行われており、前記面取り部分は、前記電子デバイス３０の端角部のガイドに用いられる。前記面取り部分の横断面は、各点の曲率半径が同じ円弧であるものとすることができ、各点の曲率半径が連続的に変化する滑らかな曲線であるものとすることもできる。
【００１３】
図８及び図９は、本発明の第三実施例に係る固定ラック２０の第一ブラケット１０ｂの構造を示す図である。前記第一ブラケット１０ｂのガイド部１３ｂの連接板１２ｂとガイド板１４ｂとの夾角は、９０度であり、且つ前記連接板１２ｂと前記ガイド板１４ｂとの間の連接部分は、湾曲して面取り処理が行われている。前記面取り部分の横断面は、各点の曲率半径が同じ円弧であるものとすることができ、各点の曲率半径が連続的に変化する滑らかな曲線であるものとすることもできる。本実施例において、前記連接板１２ｂとガイド板１４ｂとの間の連接部分は、円弧形であり、円弧の半径は、８ｍｍである。前記連接板１２ｂとガイド板１４ｂとの間の連接部分は、前記電子デバイス３０の端角部をガイドする。
【００１４】
本発明の固定ラックの第一ブラケット１０、１０ａ、１０ｂは、ガイド部が形成されており、ガイド部を介して電子デバイス３０の端角部をガイドすることによって、レール装置を設置する必要がなくなるので、結構が簡単である。
【００１５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１６】
１０、１０ａ、１０ｂ  第一ブラケット
１１  固定板
１２、１２ａ、１２ｂ  連接板
１３、１３ａ、１３ｂ  ガイド部
１４、１４ａ、１４ｂ  ガイド板
１７  湾曲板
２０  固定ラック
２１  枠
２２  梁
３０  電子デバイス
４０  第二ブラケット
【図１】
2011109089.tif 000003
【図２】
2011109089.tif 000004
【図３】
2011109089.tif 000005
【図４】
2011109089.tif 000006
【図５】
2011109089.tif 000007
【図６】
2011109089.tif 000008
【図７】
2011109089.tif 000009
【図８】
2011109089.tif 000010
【図９】
2011109089.tif 000011